(57)【特許請求の範囲】
【請求項１】
楽曲を含む放送を受信する受信手段と、
前記受信手段によって受信された放送を所定時間保存する一時保存手段と、
使用者が前記所定時間以上保存しておきたいと所望する楽曲を保存しておくための楽曲保存手段と、
前記受信手段が受信中の楽曲を前記楽曲保存手段へ保存する旨の指示を受け付け可能な受付手段と、
前記受付手段が前記指示を受け付けた場合には、前記受付手段が前記指示を受け付けた楽曲における音質の評価値が閾値よりも大きいか否かを判断する音質評価値判断手段と、
前記音質評価値判断手段によって前記評価値が前記閾値よりも大きいと判断された場合には、前記受付手段が前記指示を受け付けた楽曲を前記一時保存手段から読み出し、その読み出した楽曲と前記評価値とを関連付けて前記楽曲保存手段に保存させ、前記音質評価値判断手段によって前記評価値が前記閾値以下であると判断された場合には、前記受付手段が前記指示を受け付けた楽曲と前記評価値とを前記楽曲保存手段に保存させない保存制御手段と、
を備えることを特徴とする録音装置。
【請求項２】
請求項１に記載の録音装置において、
楽曲には、その楽曲を特定するための特定情報が含まれており、
さらに、
前記受信手段が楽曲を受信中に、前記受付手段が前記指示を受け付けたか否かを判断する受付判断手段と、
前記受付判断手段によって前記指示を受け付けていないと判断された場合には、前記指示を受け付けていない楽曲の特定情報を前記一時保存手段から読み出し、その読み出した楽曲の特定情報と同一の特定情報を有する楽曲である同一楽曲が前記楽曲保存手段に保存されており、且つ前記指示を受け付けていない楽曲における音質の評価値が、前記同一楽曲と関連付けられて前記楽曲保存手段に保存されている同一楽曲の評価値よりも大きいときには、前記楽曲保存手段に保存されている前記同一楽曲を前記指示を受け付けていない楽曲に更新させるとともに、前記楽曲保存手段に前記同一楽曲の評価値を前記指示を受け付けていない楽曲における音質の評価値に更新させる楽曲更新手段と、
を備えることを特徴とする録音装置。
【請求項３】
請求項２に記載の録音装置において、
さらに、
使用者による当該録音装置を起動する旨の起動指示を受け付け可能な起動受付手段と、
前記起動受付手段によって前記起動指示を受け付けていない場合には、所定値以下の評価値と関連付けられて前記楽曲保存手段に保存されている楽曲である低評価楽曲の特定情報を読み出す特定情報読出手段と、
前記特定情報とその特定情報を有する楽曲を放送する放送局を示す放送局情報とその放送する日時を示す日時情報とを関連付けた番組情報を記憶する番組情報記憶手段と、
前記特定情報読出手段によって読み出された低評価楽曲の特定情報と同一の特定情報が、前記番組情報記憶手段によって記憶されている番組情報に存在しているか否かを判断する存在判断手段と、
前記存在判断手段によって前記同一の特定情報が前記番組情報に存在していると判断された場合には、前記番組情報における放送局情報と日時情報とを読み出す放送局・日時情報読出手段と、
前記受信手段が受信する放送局を選局可能な選局手段と、
現在時刻を示す現在時刻情報を取得する現在時刻取得手段と、
前記放送局・日時情報読出手段によって読み出された放送局情報と日時情報とに基づいて、現在時刻取得手段によって取得された現在時刻情報に示される現在時刻が、前記日時情報が示す日時に達した際に、前記選局手段を制御して前記放送局情報が示す放送局を選局させる選局制御手段と、
前記受信手段によって受信された前記同一の特定情報を有する楽曲である受信楽曲における音質の評価値が、前記低評価楽曲と関連付けられて前記楽曲保存手段に保存されている低評価楽曲の評価値よりも大きいときには、前記楽曲保存手段に保存されている前記低評価楽曲を前記受信楽曲に更新させるとともに、前記楽曲保存手段に保存されている前記低評価楽曲の評価値を前記受信楽曲における音質の評価値に更新させる低評価楽曲更新手段と、
を備えることを特徴とする録音装置。
【請求項４】
楽曲を含む放送を受信する受信手段と、
前記受信手段によって受信された放送を所定時間保存する一時保存手段と、
使用者が前記所定時間以上保存しておきたいと所望する楽曲を保存しておくための楽曲保存手段と、
前記受信手段が受信中の楽曲を前記楽曲保存手段へ保存する旨の指示を受け付け可能な受付手段と、
前記受付手段が前記指示を受け付けた場合には、前記受付手段が前記指示を受け付けた楽曲における音質の評価値が閾値よりも大きいか否かを判断する音質評価値判断手段と、
前記音質評価値判断手段によって前記評価値が前記閾値よりも大きいと判断された場合には、前記受付手段が前記指示を受け付けた楽曲を前記一時保存手段から読み出し、その読み出した楽曲と前記評価値とを関連付けて前記楽曲保存手段に保存させ、前記音質評価値判断手段によって前記評価値が前記閾値以下であると判断された場合には、前記受付手段が前記指示を受け付けた楽曲と前記評価値とを前記楽曲保存手段に保存させない保存制御手段と、
を備え、
楽曲には、その楽曲を特定するための特定情報が含まれており、
さらに、
前記受信手段が楽曲を受信中に、前記受付手段が前記指示を受け付けたか否かを判断する受付判断手段と、
前記受付判断手段によって前記指示を受け付けていないと判断された場合には、前記指示を受け付けていない楽曲の特定情報を前記一時保存手段から読み出し、その読み出した楽曲の特定情報と同一の特定情報を有する楽曲である同一楽曲が前記楽曲保存手段に保存されており、且つ前記指示を受け付けていない楽曲における音質の評価値が、前記同一楽曲と関連付けられて前記楽曲保存手段に保存されている同一楽曲の評価値よりも大きいときには、前記楽曲保存手段に保存されている前記同一楽曲を前記指示を受け付けていない楽曲に更新させるとともに、前記楽曲保存手段に前記同一楽曲の評価値を前記指示を受け付けていない楽曲における音質の評価値に更新させる楽曲更新手段と、
使用者による当該録音装置を起動する旨の起動指示を受け付け可能な起動受付手段と、
前記起動受付手段によって前記起動指示を受け付けていない場合には、所定値以下の評価値と関連付けられて前記楽曲保存手段に保存されている楽曲である低評価楽曲の特定情報を読み出す特定情報読出手段と、
前記特定情報とその特定情報を有する楽曲を放送する放送局を示す放送局情報とその放送する日時を示す日時情報とを関連付けた番組情報を記憶する番組情報記憶手段と、
前記特定情報読出手段によって読み出された低評価楽曲の特定情報と同一の特定情報が、前記番組情報記憶手段によって記憶されている番組情報に存在しているか否かを判断する存在判断手段と、
前記存在判断手段によって前記同一の特定情報が前記番組情報に存在していると判断された場合には、前記番組情報における放送局情報と日時情報とを読み出す放送局・日時情報読出手段と、
前記受信手段が受信する放送局を選局可能な選局手段と、
現在時刻を示す現在時刻情報を取得する現在時刻取得手段と、
前記放送局・日時情報読出手段によって読み出された放送局情報と日時情報とに基づいて、現在時刻取得手段によって取得された現在時刻情報に示される現在時刻が、前記日時情報が示す日時に達した際に、前記選局手段を制御して前記放送局情報が示す放送局を選局させる選局制御手段と、
前記受信手段によって受信された前記同一の特定情報を有する楽曲である受信楽曲における音質の評価値が、前記低評価楽曲と関連付けられて前記楽曲保存手段に保存されている低評価楽曲の評価値よりも大きいときには、前記楽曲保存手段に保存されている前記低評価楽曲を前記受信楽曲に更新させるとともに、前記楽曲保存手段に保存されている前記低評価楽曲の評価値を前記受信楽曲における音質の評価値に更新させる低評価楽曲更新手段と、
を備えることを特徴とする録音装置。
【請求項５】
請求項１〜請求項４のいずれかに記載の録音装置において、
さらに、前記受信手段が放送を受信中に電界強度を検出する電界強度検出手段を備え、
前記一時保存手段は、前記電界強度検出手段によって検出された電界強度の値を同時に保存し、
さらに、前記受付手段が前記指示を受け付けた場合には、前記受付手段が前記指示を受け付けた楽曲における電界強度の値を前記一時保存手段から読み出し、その読み出した電界強度の値に基づいて、前記受付手段が前記指示を受け付けた楽曲における音質の評価値を算出する音質評価値算出手段を備えることを特徴とする録音装置。
【請求項６】
請求項５に記載の録音装置において、
前記音質評価値算出手段は、電界強度の値が、第一所定値以上である場合には電界強度を「大」とし、前記第一所定値よりも小さい第二所定値未満である場合には電界強度を「小」とし、前記第二所定値以上且つ前記第一所定値未満である場合には電界強度を「中」とし、前記受付手段が前記指示を受け付けた楽曲が開始した時点から終了した時点までの時間に対して、電界強度が「大」である時間の比率と、電界強度が「中」である時間の比率と、電界強度が「小」である時間の比率とを算出して、電界強度が「小」である時間の比率が第三所定値以上である場合には音質の評価値を数値「１」とし、電界強度が「小」である時間の比率が前記第三所定値未満であって電界強度が「中」である時間の比率が前記第三所定値以上である場合には音質の評価値を数値「３」とし、電界強度が「小」である時間の比率と電界強度「中」である時間の比率とを加算した合計の比率が前記第三所定値未満である場合には音質の評価値を数値「５」とし、これらの中間の場合にはそれぞれ数値「２」、及び数値「４」とすることを特徴とする録音装置。
【請求項７】
請求項１〜請求項４のいずれかに記載の録音装置において、
さらに、前記受付手段が前記指示を受け付けた楽曲における音質の評価値を使用者から受け付ける音質評価値受付手段を備えることを特徴とする録音装置。
【請求項８】
請求項５または請求項６に記載の録音装置において、
さらに、前記一時保存手段によって保存されている電界強度の値を読み出し、その読み出した電界強度の値に基づいて、前記閾値を算出する閾値算出手段を備えることを特徴とする録音装置。
【請求項９】
請求項１〜請求項７のいずれかに記載の録音装置において、
さらに、前記閾値を使用者から受け付ける閾値受付手段を備えることを特徴とする録音装置。
【発明の詳細な説明】
【技術分野】
【０００１】
本発明は、ラジオ放送された楽曲を録音する録音装置に関し、特に、使用者が保存しておきたいと所望する楽曲のうち良い音質で録音した楽曲だけを保存する技術に関する。
【背景技術】
【０００２】
従来、ラジオ放送を録音（記憶）する装置としては、録音機器を用いて放送中の番組をカセットテープやＭＤ（Mini Disk）等の記憶媒体に録音する装置がある。また、近年、メモリーカード、不揮発性メモリー、ハードディスクといった記憶媒体を用いる車載用オーディオ装置が登場し、ラジオ録音の機能が付加されているものも存在する（例えば、特許文献１参照）。さらに、アナログ通信方式の電波によって送信されるラジオ放送を受信するラジオ受信機だけではなく、デジタル式通信方式の電波によって送信されるラジオ放送を受信するラジオ受信機を備えるオーディオ装置が実用化されている（例えば、特許文献２参照）。
【特許文献１】特開２００７−９６５０６号公報（第４頁、図１）
【特許文献２】特開２００３−１１０４４８号公報（第２頁、図１）
【発明の開示】
【発明が解決しようとする課題】
【０００３】
しかし、従来の録音装置は、ラジオ放送された楽曲を録音する際に、ラジオ放送局から録音装置までの電波伝送路の条件悪化によって録音する楽曲の音質に悪い影響を与えるおそれがある。例えばアナログ通信方式の電波によって送信されてくる楽音信号を受信する場合には、ラジオ放送局から録音装置までの距離が大きくなると受信する楽音信号に対する雑音信号の受信強度が大きくなるため、雑音の大きい楽曲を録音するおそれがある。また、例えばデジタル式通信方式の電波によって送信されてくる楽音信号を受信する場合には、ラジオ放送局から録音装置までの距離が大きくなると受信が途切れるため、途切れた楽曲を録音するおそれがある。そのため、例えば録音した楽曲に基づいて楽音を出力した際に、その楽音の音質が使用者の聴取に耐えられないおそれがある。
【０００４】
本発明は、このような不具合に鑑みなされたものであり、その目的とするところは、使用者が保存しておきたいと所望する楽曲のうち良い音質で録音した楽曲だけを保存する録音装置を提供することにある。
【課題を解決するための手段】
【０００５】
上述した問題点を解決するためになされた請求項１に係る録音装置は、楽曲を含む放送を受信する受信手段と、一時保存手段と、楽曲保存手段と、受付手段と、音質評価値判断手段と、保存制御手段とを備える。このうち、受信手段が受信中の楽曲を楽曲保存手段へ保存する旨の指示を受付手段が受け付けた場合には、音質評価値判断手段が、受付手段が前記指示を受け付けた楽曲における音質の評価値が閾値よりも大きいか否かを判断する。音質評価値判断手段によって評価値が閾値よりも大きいと判断された場合には、保存制御手段が、受付手段が前記指示を受け付けた楽曲を一時保存手段から読み出し、その読み出した楽曲と評価値とを関連付けて楽曲保存手段に保存させる。なお、この閾値とは、例えば保存した楽曲に基づいて楽音を出力した際に、使用者の聴取に耐えられる音質の評価値よりも大きく設定されている。したがって、使用者が保存しておきたいと所望する楽曲のうち良い音質で録音した楽曲だけを保存することができる。
【０００６】
また、請求項１，４に記載のように、音質評価値判断手段によって評価値が閾値以下であると判断された場合には、保存制御手段が、受付手段が前記指示を受け付けた楽曲と評価値とを楽曲保存手段に保存させないとよい。
【０００７】
このように構成された録音装置によれば、評価値が閾値以下である場合には、受信中の楽曲を保存する旨の指示を受け付けた楽曲と評価値とを楽曲保存手段に保存させないので、評価値の大きさに関わらず保存する場合と比較して、楽曲保存手段における楽曲を保存するための記憶容量を小さくできる。
【０００８】
ところで、受信中の楽曲を保存する旨の指示を受け付けた楽曲における音質の評価値を次の（イ）、及び（ロ）のようにして求めることが考えられる。
（イ）まず、請求項５に記載のように、録音装置は、さらに、電界強度検出手段と、音質評価値算出手段を備えることが考えられる。一時保存手段は、電界強度検出手段によって検出された電界強度の値を同時に保存する。そして、受付手段が前記指示を受け付けた場合には、音質評価値算出手段が、受付手段が前記指示を受け付けた楽曲における電界強度の値を一時保存手段から読み出し、その読み出した電界強度の値に基づいて、受付手段が前記指示を受け付けた楽曲における音質の評価値を算出する。
一例を挙げると、請求項６に記載のように、音質評価値算出手段は、電界強度の値が、第一所定値以上である場合には電界強度を「大」とし、第一所定値よりも小さい第二所定値未満である場合には電界強度を「小」とし、第二所定値以上且つ第一所定値未満である場合には電界強度を「中」とし、受付手段が指示を受け付けた楽曲が開始した時点から終了した時点までの時間に対して、電界強度が「大」である時間の比率と、電界強度が「中」である時間の比率と、電界強度が「小」である時間の比率とを算出して、電界強度が「小」である時間の比率が第三所定値以上である場合には音質の評価値を数値「１」とし、電界強度が「小」である時間の比率が第三所定値未満であって電界強度が「中」である時間の比率が第三所定値以上である場合には音質の評価値を数値「３」とし、電界強度が「小」である時間の比率と電界強度「中」である時間の比率とを加算した合計の比率が第三所定値未満である場合には音質の評価値を数値「５」とし、これらの中間の場合にはそれぞれ数値「２」、及び数値「４」とするといった具合である。
【０００９】
このように構成された録音装置によれば、放送を受信中に検出した電界強度の値に基づいて、受信中の楽曲を保存する旨の指示を受け付けた楽曲における音質の評価値を算出するので、例えば楽曲における周波数特性や歪み率を分析してその周波数特性や歪み率に基づいて楽曲における音質の評価値を算出する場合と比較して、音質の評価値を算出する処理が容易となる。
【００１０】
（ロ）また、請求項７に記載のように、録音装置は、さらに、受付手段が前記指示を受け付けた楽曲における音質の評価値を使用者から受け付ける音質評価値受付手段を備えることが考えられる。
【００１１】
このように構成された録音装置によれば、受信中の楽曲を保存する旨の指示を受け付けた楽曲における音質の評価値を使用者から受け付けるので、音質の評価値を算出する場合と比較して、使用者の感性に沿って音質の評価値を設定できる。
【００１２】
ところで、閾値は固定値として予め設定されていてもよいし、次の（ハ）、及び（ニ）のようにして閾値を求めることも考えられる。
（ハ）まず、請求項８に記載のように、一時保存手段によって保存されている電界強度の値を読み出し、その読み出した電界強度の値に基づいて、閾値を算出する閾値算出手段を備えることが考えられる。
【００１３】
このように構成された録音装置によれば、放送を受信中に検出した電界強度の値に基づいて閾値を算出する。一例を挙げると、閾値算出手段は、放送を受信中に検出した電界強度の平均値を算出し、その算出した電界強度の平均値に比例して閾値を算出するといった具合である。したがって、例えば電界強度の環境条件が悪化して電界強度の値が小さくなった場合には閾値が小さくなることによって、受信中の楽曲を保存する旨の指示を受け付けたときに悪い音質で録音した楽曲であっても保存する可能性が大きくなるので、使用者に満足感を与えることができる。
【００１４】
（ニ）次に、請求項９に記載のように、録音装置は、閾値を使用者から受け付ける閾値受付手段を備えることが考えられる。
このように構成された録音装置によれば、使用者から閾値を受け付けるので、閾値が固定値として予め設定されている場合と比較して、例えば使用者の意向に沿って楽曲ごとに閾値を変更することができる。一例を挙げると、受信中の楽曲が、使用者が後で聞きたいと思った楽曲を保存する楽曲保存手段に保存されていない場合には、使用者から小さい閾値を受け付けることによって、悪い音質で録音した楽曲であっても保存する可能性が大きくなる。一方、受信中の楽曲が楽曲保存手段に保存されている場合には、使用者から大きい閾値を受け付けることによって、悪い音質で録音した楽曲を保存する可能性が小さくなり、良い音質で録音した楽曲を保存する可能性が大きくなるといった具合である。したがって、使用者から小さい閾値を受け付けることによって、受信中の楽曲を保存する旨の指示を受け付けたときに悪い音質で録音した楽曲であっても保存する可能性が大きくなるので、使用者に満足感を与えることができる。
【００１５】
また、上述した問題点を解決するためになされた請求項２，４に係る録音装置は、さらに、受信手段が楽曲を受信中に、受付手段が受信中の楽曲を保存する旨の指示を受け付けたか否かを判断する受付判断手段と、楽曲更新手段とを備える。このうち、受付判断手段によって前記指示を受け付けていないと判断された場合には、楽曲更新手段が、前記指示を受け付けていない楽曲の特定情報を一時保存手段から読み出す。そして、その読み出した楽曲の特定情報と同一の特定情報を有する楽曲である同一楽曲が楽曲保存手段に保存されており、且つ前記指示を受け付けていない楽曲における音質の評価値が、同一楽曲と関連付けられて楽曲保存手段に保存されている同一楽曲の評価値よりも大きいときには、楽曲更新手段が、楽曲保存手段に保存されている同一楽曲を前記指示を受け付けていない楽曲に更新させるとともに、楽曲保存手段に同一楽曲の評価値を前記指示を受け付けていない楽曲における音質の評価値に更新させる。したがって、楽曲保存手段に保存されている楽曲を、さらに良い音質で録音した楽曲に更新できる。
【００１６】
また、上述した問題点を解決するためになされた請求項３，４に係る録音装置は、さらに、使用者による当該録音装置を起動する旨の起動指示を受け付け可能な起動受付手段と、起動受付判断手段と、特定情報読出手段と、番組情報記憶手段と、存在判断手段と、放送局・日時情報読出手段と、選局手段と、現在時刻取得手段と、選局制御手段と、低評価楽曲更新手段とを備える。このうち、起動受付判断手段によって起動指示を受け付けていないと判断された場合には、特定情報読出手段が、所定値以下の評価値と関連付けられて楽曲保存手段に保存されている楽曲である低評価楽曲の特定情報を読み出す。なお、この所定値とは、予め実験等によって設定される値であり、例えば保存した楽曲に基づいて楽音を出力した際に、聴取する使用者に満足感を与えられる音質の評価値よりも大きく設定されている。存在判断手段が、特定情報読出手段によって読み出された低評価楽曲の特定情報と同一の特定情報が、番組情報記憶手段によって記憶されている番組情報に存在しているか否かを判断する。存在判断手段によって同一の特定情報が番組情報に存在していると判断された場合には、放送局・日時情報読出手段が、番組情報における放送局情報と日時情報とを読み出す。現在時刻取得手段によって取得された現在時刻情報に示される現在時刻が、日時情報が示す日時に達した際に、選局制御手段が、放送局・日時情報読出手段によって読み出された放送局情報と日時情報とに基づいて、選局手段を制御して放送局情報が示す放送局を選局させる。受信手段によって受信された同一の特定情報を有する楽曲である受信楽曲における音質の評価値が、低評価楽曲と関連付けられて楽曲保存手段に保存されている低評価楽曲の評価値よりも大きいときには、低評価楽曲更新手段が、楽曲保存手段に保存されている低評価楽曲を受信楽曲に更新させるとともに、楽曲保存手段に保存されている低評価楽曲の評価値を受信楽曲における音質の評価値に更新させる。したがって、楽曲保存手段に保存されている楽曲を、さらに良い音質で録音した楽曲に更新できる。
【発明を実施するための最良の形態】
【００１７】
以下、本発明の実施形態を図面に基づいて説明する。
［１．録音装置の構成の説明］
図１（ａ）は録音装置１の全体構成を示すブロック図であり、図１（ｂ）はメモリ４０に設けられたメモリ領域を示す説明図であり、図１（ｃ）は放送関連データのメモリ領域４１０を示す説明図である。
【００１８】
録音装置１は、図１（ａ）に示すように、受信部１０、音声出力部２０、制御部３０、メモリ４０、ＨＤＤ５０、操作部６０、及び表示部７０を備える。
受信部１０は、例えばデジタルラジオ受信機などの受信装置から構成されており、アンテナ１０ａを介してデジタルラジオ放送を受信してその受信信号を制御部３０、及び音声制御部へ送信する。なお、このデジタルラジオ放送については後述する。
【００１９】
音声出力部２０は、例えばコーンスピーカなどの音声出力装置から構成されており、受信部１０から送信されたデジタルラジオ放送の受信信号などに基づいて音声により出力する。
【００２０】
制御部３０は、ＣＰＵ、ＲＯＭ、ＲＡＭ、Ｉ／Ｏ及びこれらの構成を接続するバスラインなどからなる周知のマイクロコンピュータを中心に構成されており、現在時刻を示す時計を内蔵し、ＲＯＭ内に記憶されたプログラムに従って、楽曲保存処理などの各種処理を実行する。なお、この楽曲保存処理については後述する。また、制御部３０には、受信部１０、音声出力部２０、メモリ４０、ＨＤＤ５０、操作部６０、及び表示部７０が接続される。
【００２１】
メモリ４０は、例えば環状に配置されたリングバッファなどの記憶装置から構成されており、受信部１０によって受信されたデジタルラジオ放送などを所定時間記憶している。なお、この所定時間は、本実施形態では３０分に設定されている。また、メモリ４０のメモリ領域については後述する。
【００２２】
ＨＤＤ５０は、例えばハードディスクなどの記憶装置から構成されており、使用者が後で聞きたいと思った楽曲などを記憶している。なお、ＨＤＤ５０のメモリ領域については後述する。
【００２３】
操作部６０は、例えば表示部７０の表示領域に沿って設置されるタッチパネル及び複数のキースイッチなどの入力装置から構成されており、使用者から各種情報を受け付ける。
表示部７０は、例えば液晶ディスプレイなどの画像表示装置から構成されており、使用者から各種情報を受け付ける旨を案内するための案内情報などを表示する。
【００２４】
［１−１．デジタルラジオ放送の説明］
図３（ａ）はデジタルラジオ放送におけるデータ構造を示す説明図である。
デジタルラジオ放送では、図３（ａ）に示すように、複数のチャンネルの放送データが多重化されて所定のフレーム単位で送信されている。例えばチャンネル１放送データが楽曲に関するデータの場合には、その放送データは楽曲データと番組付加データとから構成されている。この楽曲データは音声出力部２０によって楽曲を音声により出力するのに用いられる。また、この番組付加データは放送番組を特定するための番組名データ、曲名データ、エンドビットデータなどから構成されている。この番組名データは番組名を示し、曲名データは楽曲を特定するのに用いられ、エンドビットデータは楽曲の終了を通知するのに用いられる。
【００２５】
［１−２．メモリ４０のメモリ領域］
メモリ４０には、図１（ｂ）に示すように、放送関連データを記憶する放送関連データのメモリ領域４１０などが設けられている。以下、放送関連データを説明する。
【００２６】
（イ）放送関連データ
放送関連データは、デジタルラジオ放送された放送データなどに関するデータであり、使用者が後で聞きたいと思った楽曲をＨＤＤ５０に保存する際に用いられる。この放送関連データは、図１（ｃ）に示すように、楽曲、ニュース、コマーシャル（ＣＭとも称する。）などに関する放送データと、デジタルラジオ放送を受信中に検出された電界強度の値を示す電界強度データとを関連付けている。また、放送データが楽曲に関する放送データの場合には、その放送関連データは、楽曲データと曲名データと電界強度データとを関連付けている。
【００２７】
［１−３．ＨＤＤ５０のメモリ領域］
図２（ａ）はＨＤＤ５０に設けられたメモリ領域を示す説明図であり、図２（ｂ）は楽曲関連データのメモリ領域５１０を示す説明図であり、図２（ｃ）は番組データのメモリ領域５３０を示す説明図である。
【００２８】
ＨＤＤ５０には、図２（ａ）に示すように、楽曲関連データを記憶する楽曲関連データのメモリ領域５１０、閾値データを記憶する閾値データのメモリ領域５２０、番組データを記憶する番組データのメモリ領域５３０などが設けられている。以下、楽曲関連データ、閾値データ、番組データの順に説明する。
【００２９】
（ロ）楽曲関連データ
楽曲関連データは、デジタルラジオ放送された放送データのうち楽曲データなどに関するデータであり、使用者が保存しておきたいと所望する楽曲のうち良い音質で録音した楽曲だけを保存するのに用いられる。この楽曲関連データは、図２（ｂ）に示すように、楽曲データと曲名データと音質評価値データとを関連付けている。この音質評価値データは楽曲における音質の評価値を示すデータであり、その音質の評価値は上述した放送関連データにおける楽曲データと曲名データとに関連付けられた電界強度データに示される電界強度の値に基づいて制御部３０によって算出される。
【００３０】
（ハ）閾値データ
閾値データは、楽曲における音質の閾値を示すデータであり、使用者が後で聞きたいと思った楽曲をＨＤＤ５０に保存するか否かを判断するのに用いられる。この閾値は、予め実験等によって設定される値であり、例えばＨＤＤ５０の楽曲関連データのメモリ領域５１０に記憶されている楽曲データに基づいて音声出力部２０によって楽曲を音声により出力した際に、使用者の聴取に耐えられる音質の評価値よりも大きく設定されている。
【００３１】
（ニ）番組データ
番組データは、デジタルラジオ放送される放送番組に関するデータであり、所定値以下の音質の評価値を示す音質評価値データと関連付けられてＨＤＤ５０の楽曲関連データのメモリ領域５１０に記憶されている曲名データと同一の曲名データを有する楽曲を受信するのに用いられる。なお、この所定値とは、予め実験等によって設定される値であり、例えばＨＤＤ５０の楽曲関連データのメモリ領域５１０に記憶されている楽曲データに基づいて音声出力部２０によって楽曲を音声により出力した際に、聴取する使用者に満足感を与えられる音質の評価値よりも大きく設定されている。この番組データは、図２（ｃ）に示すように、曲名データと放送局名データと日時データとを関連付けている。この放送局名データはデジタルラジオ放送するチャンネル（図３（ａ）参照）を示すデータであり、チャンネルを選択するのに用いられる。また、日時データはデジタルラジオ放送される日時を示すデータであり、チャンネルを選択するための日時を得るのに用いられる。
【００３２】
［２．対応関係の説明］
以上、録音装置１の構成について説明したが、本実施形態における録音装置１の構成と、特許請求の範囲に記載した構成との対応は次のとおりである。本実施形態の受信部１０が、特許請求の範囲における受信手段に相当する。また、メモリ４０が、一時保存手段に相当する。さらに、ＨＤＤ５０が、楽曲保存手段、及び番組情報記憶手段に相当する。また、操作部６０が、受付手段、音質評価値受付手段、閾値受付手段、及び起動受付手段に相当する。また、制御部３０が、音質評価値判断手段、保存制御手段、電界強度検出手段、音質評価値算出手段、閾値算出手段、受付判断手段、楽曲更新手段、特定情報読出手段、存在判断手段、放送局・日時情報読出手段、選局手段、現在時刻取得手段、選局制御手段、及び低評価楽曲更新手段に相当する。また、曲名データが特定情報に相当し、チャンネルが放送局に相当する。
【００３３】
［３．録音装置１の制御部３０が実行する楽曲保存処理の説明］
次に、録音装置１の制御部３０が実行する楽曲保存処理の手順を図４〜図６のフローチャート、及び図３（ｂ）に基づいて説明する。なお、図３（ｂ）は電界強度の検出値を示す説明図である。本処理は、録音装置１の制御部３０、及び操作部６０に電力が供給され、制御部３０が起動されている場合に実行される（図１（ａ）参照）。
【００３４】
まず、本処理が起動されると、録音装置１を起動する旨の起動指示を受け付けているか否かを判断する（Ｓ１１０）。具体的には、起動指示を受け付けるためのスイッチが操作部６０を構成する複数のキースイッチに含まれており、そのスイッチが使用者により押下（オン）されていた場合には起動指示を受け付けていると判断し、一方、押下（オン）されていない場合には起動指示を受け付けていないと判断する。なお、起動指示を受け付けている場合には、制御部３０を含めて録音装置１が起動中となる。すなわち、受信部１０によって受信されたデジタルラジオ放送における楽曲、ニュース、ＣＭなどが、音声出力部２０によって音声により出力される。また、使用者から各種情報を受け付ける旨を案内するための案内情報などが表示部７０によって表示される。起動指示を受け付けていると判断した場合には（Ｓ１１０：ＹＥＳ）、Ｓ１５０の処理へ移行する。一方、起動指示を受け付けていないと判断した場合には（Ｓ１１０：ＮＯ）、Ｓ１２０の処理（図５参照）へ移行する。このＳ１２０の処理については後述する。
【００３５】
Ｓ１５０の処理においては、デジタルラジオ放送された放送データなどをメモリ４０に記憶させる。具体的には、受信部１０によって受信されたデジタルラジオ放送における楽曲、ニュース、ＣＭなどに関する放送データと、デジタルラジオ放送を受信中に検出された電界強度の値を示す電界強度データとを関連付けた放送関連データ（図１（ｃ）参照）をメモリ４０の放送関連データのメモリ領域４１０に記憶させる。また、放送データが楽曲に関するデータの場合には、楽曲データと曲名データと電界強度データとを関連付けた放送関連データをメモリ４０の放送関連データのメモリ領域４１０に記憶させる。ここで、電界強度を検出する手順について説明する。まず、受信部１０によって受信されたデジタルラジオ放送の受信信号を信号処理することによって受信強度を計測する。そして、制御部３０を構成するマイクロコンピュータのＲＯＭ内に記憶された受信強度と電界強度とを関連付けた関連データに基づいて、計測した受信強度の値に対応する電界強度の値を読み出す。この関連データは、予めデジタルラジオ放送の電界強度を変化可能な環境において変化させた電界強度に値に対応する受信強度の値を計測しておき、その計測した受信強度の値と電界強度の値とを関連付けている。Ｓ１５０の処理が終了したらＳ１５２の処理へ移行する。
【００３６】
Ｓ１５２の処理においては、受信中の楽曲が終了したか否かを判断する。具体的には、受信部１０によって受信されたデジタルラジオ放送における楽曲に関する放送データを構成する番組付加データのエンドビットデータから受信中の楽曲が終了したか否かを判断する。受信中の楽曲が終了していないと判断した場合には（Ｓ１５２：ＮＯ）、Ｓ１８０の処理へ移行する。一方、受信中の楽曲が終了したと判断した場合には（Ｓ１５２：ＹＥＳ）、終了した楽曲に関する放送データを構成する番組付加データの曲名データを、制御部３０を構成するマイクロコンピュータのＲＡＭに記憶し、Ｓ１６０の処理（図６参照）へ移行する。なお、本処理において制御部３０を構成するマイクロコンピュータのＲＡＭに記憶された曲名データを無保存指示楽曲の曲名データとも称する。このＳ１６０の処理については後述する。
【００３７】
Ｓ１８０の処理においては、受信中の楽曲を保存する旨の保存指示を受け付けたか否かを判断する。具体的には、保存指示を受け付けるためのスイッチが操作部６０を構成する複数のキースイッチに含まれており、そのスイッチが上述のように音声出力部２０によって音声により出力されている楽曲を保存したいと思った使用者により押下（オン）された場合には保存指示を受け付けたと判断し、一方、押下（オン）されていない場合には保存指示を受け付けていないと判断する。保存指示を受け付けたと判断した場合には（Ｓ１８０：ＹＥＳ）、保存指示を受け付けた楽曲に関する放送データを構成する番組付加データの曲名データを、制御部３０を構成するマイクロコンピュータのＲＡＭに記憶し、Ｓ１８２の処理へ移行する。なお、本処理において制御部３０を構成するマイクロコンピュータのＲＡＭに記憶された曲名データを保存指示楽曲の曲名データとも称する。一方、保存指示を受け付けていないと判断した場合には（Ｓ１８０：ＮＯ）、上述のＳ１５２の処理へ戻る。
【００３８】
Ｓ１８２の処理においては、保存指示を受け付けた楽曲に関する電界強度データをメモリ４０から読み出す。具体的には、保存指示楽曲の曲名データと同一の曲名データを含む放送関連データにおける電界強度データをメモリ４０の放送関連データのメモリ領域４１０から読み出す。Ｓ１８２の処理が終了したらＳ１８４の処理へ移行する。
【００３９】
Ｓ１８４の処理においては、Ｓ１８２の処理において読み出した電界強度データに示される電界強度の値に基づいて音質の評価値を算出する。ここで、電界強度の値に基づいて音質の評価値を算出する手順の一例を図３（ｂ）を参照して説明する。電界強度の値が、５０ｄｂμＶ以上の場合には電界強度を「大」とし、５ｄｂμＶ以上から５０ｄｂμＶ未満までの場合には電界強度を「中」とし、５ｄｂμＶ未満の場合には電界強度を「小」とする。保存指示を受けた楽曲が開始した時点Ｔ０から終了した時点Ｔ４までの時間（Ｔ４―Ｔ０）に対して、電界強度が「大」である時間（Ｔ１−Ｔ０）の比率と、電界強度が「中」である時間（（Ｔ２−Ｔ１）＋（Ｔ４−Ｔ３））の比率と、電界強度が「小」である時間（Ｔ３−Ｔ２）の比率とを算出して、それらの比率に応じて音質の評価値を算出する。なお、この音質の評価値は、本実施形態においては、数値「１」〜数値「５」までの５段階である。例えば電界強度が「小」である時間の比率が１０％以上である場合には音質の評価値を数値「１」とし、電界強度が「小」である時間の比率が１０％未満であって電界強度が「中」である時間の比率が１０％以上である場合には音質の評価値を数値「３」とし、電界強度が「小」である時間の比率と電界強度「中」である時間の比率とを加算した合計の比率が１０％未満である場合には音質の評価値を数値「５」とし、これらの中間の場合にはそれぞれ数値「２」、及び数値「４」とする。Ｓ１８４の処理が終了したらＳ１８６の処理へ移行する。
【００４０】
Ｓ１８６の処理においては、音質の評価値が閾値以上か否かを判断する。具体的には、Ｓ１８２の処理において算出した音質の評価値が、ＨＤＤ５０の閾値データのメモリ領域５２０に記憶されている閾値データに示される閾値以上か否かを判断する。音質の評価値が閾値以上であると判断した場合には（Ｓ１８６：ＹＥＳ）、Ｓ１８８の処理へ移行する。一方、音質の評価値が閾値未満であると判断した場合には（Ｓ１８６：ＮＯ）、上述のＳ１１０の処理へ戻る。
【００４１】
Ｓ１８８の処理においては、保存指示を受け付けた楽曲に関する楽曲データをメモリ４０から読み出す。具体的には、保存指示楽曲の曲名データと同一の曲名データを含む放送関連データにおける楽曲データをメモリ４０の放送関連データのメモリ領域４１０から読み出す。Ｓ１８８の処理が終了したらＳ１９０の処理へ移行する。
【００４２】
Ｓ１９０の処理においては、楽曲データと曲名データと音質評価値データとを関連付けた楽曲関連データをＨＤＤ５０に記憶させる。具体的には、Ｓ１８８の処理において読み出した楽曲データと、保存指示楽曲の曲名データと、Ｓ１８２の処理において算出した音質の評価値を示す音質評価値データとを関連付けた楽曲関連データをＨＤＤ５０の楽曲関連データのメモリ領域５１０に記憶させる。Ｓ１９０の処理が終了したら上述のＳ１１０の処理へ戻る。
【００４３】
ところで、先のＳ１１０の処理において起動指示を受け付けていないと判断した場合には（Ｓ１１０：ＮＯ）、図５に示すように、所定値以下の音質の評価値と関連付けられた曲名データを読み出す（Ｓ１２０）。具体的には、所定値以下の音質の評価値を示す音質評価値データを含みＨＤＤ５０の楽曲関連データのメモリ領域５１０に記憶されている楽曲関連データにおける曲名データを読み出す。Ｓ１２０の処理が終了したらＳ１２２の処理へ移行する。
【００４４】
Ｓ１２２の処理においては、読み出した曲名データと同一の曲名データが番組データに存在するか否かを判断する。具体的には、Ｓ１２０の処理において読み出した曲名データと同一の曲名データがＨＤＤ５０の番組データのメモリ領域５３０に、記憶されている場合には存在していると判断し、一方、記憶されていない場合には存在しないと判断する。読み出した曲名データと同一の曲名データが番組データに存在していると判断した場合には（Ｓ１２２：ＹＥＳ）、Ｓ１２４の処理へ移行する。一方、読み出した曲名データと同一の曲名データが番組データに存在していないと判断した場合には（Ｓ１２２：ＮＯ）、Ｓ１１０（図４参照）の処理へ戻る。
【００４５】
Ｓ１２４の処理においては、番組データにおける放送局名データと日時データとを読み出す。具体的には、Ｓ１２０の処理において読み出した曲名データが一つの場合には、その曲名データと同一の曲名データが存在する番組データにおける放送局名データと日時データとをＨＤＤ５０の番組データのメモリ領域５３０から読み出し、その曲名データを制御部３０を構成するマイクロコンピュータのＲＡＭに記憶する。一方、Ｓ１２０の処理において読み出した曲名データが複数の場合には、それぞれの曲名データと同一の曲名データが存在する番組データにおける日時データをＨＤＤ５０の番組データのメモリ領域５３０から読み出す。そして、読み出した日時データに示される日時それぞれを比較して、現在時刻に最も近い日時を示す日時データを含む番組データにおける曲名データを一つ選択し、その選択した曲名データが存在する番組データにおける放送局名データと日時データとをＨＤＤ５０の番組データのメモリ領域５３０から読み出し、その選択した曲名データを制御部３０を構成するマイクロコンピュータのＲＡＭに記憶する。なお、本処理において制御部３０を構成するマイクロコンピュータのＲＡＭに記憶された曲名データを受信楽曲の曲名データとも称する。Ｓ１２４の処理が終了したらＳ１２６の処理へ移行する。
【００４６】
Ｓ１２６の処理においては、現在時刻が、日時データが示す日時に達したか否かを判断する。具体的には、制御部３０が内蔵する時計に示される現在時刻が、Ｓ１２４の処理において読み出した日時データが示す日時に達したか否かを判断する。現在時刻が、日時データが示す日時に達したと判断した場合には（Ｓ１２６：ＹＥＳ）、Ｓ１２８の処理へ移行する。一方、現在時刻が、日時データが示す日時に達していない判断した場合には（Ｓ１２６：ＮＯ）、Ｓ１１０の処理（図４参照）へ戻る。
【００４７】
Ｓ１２８の処理においては、放送局データが示すチャンネルを選択する。具体的には、受信部１０によって受信されたデジタルラジオ放送から放送局データが示すチャンネルの放送データを選択する（図３（ａ）参照）。Ｓ１２８の処理が終了したらＳ１３０の処理へ移行する。
【００４８】
Ｓ１３０の処理においては、Ｓ１５０の処理と同様の処理により、デジタルラジオ放送された放送データなどをメモリ４０に記憶させる。Ｓ１３０の処理が終了したらＳ１３２の処理へ移行する。
【００４９】
Ｓ１３２の処理においては、Ｓ１５２の処理と同様の処理により、受信中の楽曲が終了したか否かを判断する。受信中の楽曲が終了していないと判断した場合には（Ｓ１３２：ＮＯ）、受信中の楽曲が終了するまで待機し、受信中の楽曲が終了したと判断した場合には（Ｓ１３２：ＹＥＳ）、Ｓ１３４の処理へ移行する。
【００５０】
Ｓ１３４の処理においては、終了した楽曲に関する電界強度データをメモリ４０から読み出す。具体的には、受信楽曲の曲名データと同一の曲名データを含む放送関連データにおける電界強度データをメモリ４０の放送関連データのメモリ領域４１０から読み出す。Ｓ１３４の処理が終了したらＳ１３６の処理へ移行する。
【００５１】
Ｓ１３６の処理においては、Ｓ１８４の処理と同様の処理により、Ｓ１３４の処理において読み出した電界強度データに示される電界強度の値に基づいて音質の評価値を算出する。Ｓ１３６の処理が終了したらＳ１３８の処理へ移行する。
【００５２】
Ｓ１３８の処理においては、終了した楽曲の音質の評価値が、ＨＤＤ５０に記憶されている楽曲の音質の評価値以上か否かを判断する。具体的には、Ｓ１３６の処理において算出された音質の評価値が、受信楽曲の曲名データと同一の曲名データを含みＨＤＤ５０の楽曲関連データのメモリ領域５１０に記憶されている楽曲関連データにおける音質評価値データに示される音質の評価値以上か否かを判断する。終了した楽曲の音質の評価値が、ＨＤＤ５０に記憶されている楽曲の音質の評価値以上であると判断した場合には（Ｓ１３８：ＹＥＳ）、Ｓ１４０の処理へ移行する。一方、終了した楽曲の音質の評価値が、ＨＤＤ５０に記憶されている楽曲の音質の評価値未満であると判断した場合には（Ｓ１３８：ＮＯ）、Ｓ１１０の処理（図４参照）へ戻る。
【００５３】
Ｓ１４０の処理においては、終了した楽曲に関する楽曲データをメモリ４０から読み出す。具体的には、受信楽曲の曲名データと同一の曲名データを含む放送関連データにおける楽曲データをメモリ４０の放送関連データのメモリ領域４１０から読み出す。Ｓ１４０の処理が終了したらＳ１４２の処理へ移行する。
【００５４】
Ｓ１４２の処理においては、ＨＤＤ５０に記憶されている楽曲を放送された楽曲に更新させる。具体的には、受信楽曲の曲名データと同一の曲名データを含みＨＤＤ５０の楽曲関連データのメモリ領域５１０に記憶されている楽曲関連データにおける楽曲データを、Ｓ１４０の処理において読み出した楽曲データに更新させる。また、受信楽曲の曲名データと同一の曲名データを含みＨＤＤ５０の楽曲関連データのメモリ領域５１０に記憶されている楽曲関連データにおける音質評価値データを、Ｓ１３６の処理において算出された音質の評価値を示す音質評価値データに更新させる。Ｓ１４２の処理が終了したらＳ１１０の処理（図４参照）へ戻る。
【００５５】
ところで、先のＳ１５２の処理において受信中の楽曲が終了したと判断した場合には（Ｓ１５２：ＹＥＳ）、図６に示すように、終了した楽曲に関する曲名データをメモリ４０から読み出す（Ｓ１６０）。具体的には、無保存指示楽曲の曲名データと同一の曲名データを含む放送関連データにおける曲名データをメモリ４０の放送関連データのメモリ領域４１０から読み出す。Ｓ１６０の処理が終了したらＳ１６２の処理へ移行する。
【００５６】
Ｓ１６２の処理においては、読み出した曲名データと同一の曲名データがＨＤＤ５０に記憶されているか否かを判断する。具体的には、Ｓ１６０の処理において読み出した曲名データと同一の曲名データがＨＤＤ５０の楽曲関連データのメモリ領域５１０に記憶されているか否かを判断する。読み出した曲名データと同一の曲名データがＨＤＤ５０に記憶されていると判断した場合には（Ｓ１６２：ＹＥＳ）、Ｓ１６４の処理へ移行する。一方、読み出した曲名データと同一の曲名データがＨＤＤ５０に記憶されていないと判断した場合には（Ｓ１６２：ＮＯ）、Ｓ１１０の処理（図４参照）へ戻る。
【００５７】
Ｓ１６４の処理においては、終了した楽曲に関する電界強度データをメモリ４０から読み出す。具体的には、無保存指示楽曲の曲名データと同一の曲名データを含む放送関連データにおける電界強度データをメモリ４０の放送関連データのメモリ領域４１０から読み出す。Ｓ１６４の処理が終了したらＳ１６６の処理へ移行する。
【００５８】
Ｓ１６６の処理においては、Ｓ１８４の処理と同様の処理により、Ｓ１６４の処理において読み出した電界強度データに示される電界強度の値に基づいて音質の評価値を算出する。Ｓ１６６の処理が終了したらＳ１６８の処理へ移行する。
【００５９】
Ｓ１６８の処理においては、終了した楽曲の音質の評価値が、ＨＤＤ５０に記憶されている楽曲の音質の評価値以上か否かを判断する。具体的には、Ｓ１６６の処理において算出された音質の評価値が、無保存指示楽曲の曲名データと同一の曲名データを含みＨＤＤ５０の楽曲関連データのメモリ領域５１０に記憶されている楽曲関連データにおける音質評価値データに示される音質の評価値以上か否かを判断する。終了した楽曲の音質の評価値が、ＨＤＤ５０に記憶されている楽曲の音質の評価値以上であると判断した場合には（Ｓ１６８：ＹＥＳ）、Ｓ１７０の処理へ移行する。一方、終了した楽曲の音質の評価値が、ＨＤＤ５０に記憶されている楽曲の音質の評価値未満であると判断した場合には（Ｓ１６８：ＮＯ）、Ｓ１１０の処理（図４参照）へ戻る。
【００６０】
Ｓ１７０の処理においては、終了した楽曲に関する楽曲データをメモリ４０から読み出す。具体的には、無保存指示楽曲の曲名データと同一の曲名データを含む放送関連データにおける楽曲データをメモリ４０の放送関連データのメモリ領域４１０から読み出す。Ｓ１７０の処理が終了したらＳ１７２の処理へ移行する。
【００６１】
Ｓ１７２の処理においては、ＨＤＤ５０に記憶されている楽曲を放送された楽曲に更新させる。具体的には、無保存指示楽曲の曲名データと同一の曲名データを含みＨＤＤ５０の楽曲関連データのメモリ領域５１０に記憶されている楽曲関連データにおける楽曲データを、Ｓ１７０の処理において読み出した楽曲データに更新させる。また、無保存指示楽曲の曲名データと同一の曲名データを含みＨＤＤ５０の楽曲関連データのメモリ領域５１０に記憶されている楽曲関連データにおける音質評価値データを、Ｓ１６６の処理において算出された音質の評価値を示す音質評価値データに更新させる。Ｓ１７２の処理が終了したらＳ１１０の処理（図４参照）へ戻る。
【００６２】
［４．効果の説明］
（１）本実施形態の録音装置１によれば、次のような作用効果を奏する。すなわち、楽曲保存処理において、制御部３０は、受信部１０が受信中の楽曲をＨＤＤ５０へ保存する旨の保存指示を操作部６０が受け付けた場合には（Ｓ１８０：ＹＥＳ）、操作部６０が保存指示を受け付けた楽曲における音質の評価値がＨＤＤ５０に記憶されている閾値データに示される閾値よりも大きいか否かを判断する（Ｓ１８６）。そして、制御部３０は、保存指示を受け付けた楽曲における音質の評価値が閾値よりも大きいと判断した場合には（Ｓ１８６：ＹＥＳ）、保存指示を受け付けた楽曲に関する楽曲データをメモリ４０の放送関連データのメモリ領域４１０から読み出し（Ｓ１８８）、その読み出した楽曲データと保存指示を受け付けた楽曲における音質の評価値を示す音質評価値データとを関連付けた楽曲関連データをＨＤＤ５０に記憶させる（Ｓ１９０）。したがって、使用者が保存しておきたいと所望する楽曲のうち良い音質で録音した楽曲だけを保存することができる。
【００６３】
（２）また、本実施形態の録音装置１によれば、次のような作用効果を奏する。すなわち、楽曲保存処理において、制御部３０は、保存指示を受け付けた楽曲における音質の評価値が閾値以下であると判断した場合には（Ｓ１８６：ＮＯ）、Ｓ１８８の処理及びＳ１９０の処理を実行せずに上述のＳ１１０の処理へ戻る。つまり、保存指示を受け付けた楽曲に関する楽曲データと音質評価値データとをＨＤＤ５０に記憶させない。したがって、音質の評価値の大きさに関わらず保存指示を受け付けた楽曲を保存する場合と比較して、ＨＤＤ５０における楽曲を保存するための記憶容量を小さくできる。
【００６４】
（３）さらに、本実施形態の録音装置１によれば、次のような作用効果を奏する。すなわち、楽曲保存処理において、制御部３０は、放送を受信中に検出した電界強度の値に基づいて、保存指示を受け付けた楽曲における音質の評価値を算出する（Ｓ１８４）。したがって、例えば楽曲における周波数特性や歪み率を分析してその周波数特性や歪み率に基づいて楽曲における音質の評価値を算出する場合と比較して、音質の評価値を算出する処理が容易である。
【００６５】
（４）また、本実施形態の録音装置１によれば、次のような作用効果を奏する。すなわち、楽曲保存処理において、制御部３０は、保存指示を受け付けていない状態で受信中の楽曲が終了した場合には（Ｓ５１２：ＹＥＳ）、終了した楽曲に関する曲名データをメモリ４０の放送関連データのメモリ領域４１０から読み出す（Ｓ１６０）。そして、制御部３０は、読み出した曲名データと同一の曲名データがＨＤＤ５０の楽曲関連データのメモリ領域５１０に記憶されており（Ｓ１６２：ＹＥＳ）、且つ終了した楽曲の音質の評価値が、前記同一の曲名データを含む楽曲関連データにおける音質評価値データに示される音質の評価値よりも大きいときには（Ｓ１６８：ＹＥＳ）、終了した楽曲に関する楽曲データをメモリ４０の放送関連データのメモリ領域４１０から読み出す（Ｓ１７０）。さらに、制御部３０は、前記同一の曲名データを含みＨＤＤ５０の楽曲関連データのメモリ領域５１０に記憶されている楽曲関連データにおける楽曲データを、前記終了した楽曲に関する楽曲データに更新させる（Ｓ１７２）。また、制御部３０は、前記記憶されている楽曲関連データにおける音質評価値データを、終了した楽曲における音質の評価値を示す音質評価値データに更新させる（Ｓ１７２）。したがって、ＨＤＤ５０に記憶されている楽曲を、さらに良い音質で録音した楽曲に更新できる。
【００６６】
（５）また、本実施形態の録音装置１によれば、次のような作用効果を奏する。すなわち、楽曲保存処理において、制御部３０は、録音装置１を起動する旨の起動指示を受け付けていな場合には（Ｓ１１０：ＮＯ）、所定値以下の音質の評価値を示す音質評価値データを含みＨＤＤ５０の楽曲関連データのメモリ領域５１０に記憶されている楽曲関連データにおける曲名データを読み出す（Ｓ１２０）。そして、制御部３０は、読み出した曲名データと同一の曲名データが、ＨＤＤ５０の番組データのメモリ領域５３０に記憶されている番組データに存在している場合には（Ｓ１２２：ＹＥＳ）、番組データにおける放送局データと日時データとを読み出す（Ｓ１２４）。制御部３０は、読み出した放送データと日時データとに基づいて、制御部３０に内蔵された時計によって現在時刻が、日時データが示す日時に達した際に（Ｓ１２６：ＹＥＳ）、放送局データが示すチャンネルを選択する（Ｓ１２８）。そして、制御部３０は、選択したチャンネルにおいて受信中の楽曲が終了した場合において（Ｓ１３２：ＹＥＳ）、終了した楽曲の音質の評価値が、前記読み出した曲名データを含む楽曲関連データにおける音質評価値データに示される音質の評価値よりも大きいときには（Ｓ１３８：ＹＥＳ）、終了した楽曲に関する楽曲データをメモリ４０の放送関連データのメモリ領域４１０から読み出す（Ｓ１４０）。さらに、制御部３０は、前記読み出した曲名データを含みＨＤＤ５０の楽曲関連データのメモリ領域５１０に記憶されている楽曲関連データにおける楽曲データを、前記終了した楽曲に関する楽曲データに更新させる（Ｓ１４２）。また、制御部３０は、前記記憶されている楽曲関連データにおける音質評価値データを、終了した楽曲における音質の評価値を示す音質評価値データに更新させる（Ｓ１４２）。したがって、ＨＤＤ５０に記憶されている楽曲を、さらに良い音質で録音した楽曲に更新できる。
【００６７】
［５．他の実施形態］
以上、本発明の一実施形態について説明したが、本発明は上記実施形態に限定されるものではなく、以下のような様々な態様にて実施することができる。
【００６８】
（１）上記実施形態の録音装置１では、受信中の楽曲を保存する旨の指示を受け付けた楽曲における音質の評価値を、放送を受信中に検出した電界強度の値に基づいて制御部３０が算出するが、これには限らない。受信中の楽曲を保存する旨の指示を受け付けた楽曲における音質の評価値を使用者から受け付けてもよい。具体的には、制御部３０が、使用者から音質の評価値を受け付ける旨を案内するための案内情報を表示部７０に表示させ、操作部６０を構成するタッチパネルを介して使用者から例えば５段階の数値「１」〜数値「５」などの音質の評価値を受け付ける。このように構成された実施形態によれば、受信中の楽曲を保存する旨の指示を受け付けた楽曲における音質の評価値を使用者から受け付けるので、音質の評価値を制御部３０が算出する場合と比較して、使用者の感性に沿って音質の評価値を設定できる。
【００６９】
（２）上記実施形態の録音装置１では、閾値は予め設定される値であるが、これには限らない。閾値を、放送を受信中に検出した電界強度の値に基づいて算出してもよい。具体的には、制御部３０が、放送を受信中にメモリ４０の放送関連データのメモリ領域４１０に記憶された電界強度データを読み出し、その読み出した電界強度の値に基づいて閾値を算出する。一例を挙げると、制御部３０が、読み出した電界強度データに示される電界強度の平均値を算出し、その算出した電界強度の平均値に比例して閾値を算出するといった具合である。このように構成された実施形態によれば、例えば電界強度の環境条件が悪化して電界強度の値が小さくなった場合には閾値が小さくなることによって、受信中の楽曲を保存する旨の指示を受け付けたときに悪い音質で録音した楽曲であっても保存する可能性が大きくなるので、使用者に満足感を与えることができる。
【００７０】
また、閾値を使用者から受け付けてもよい。具体的には、制御部３０が、使用者から閾値を受け付ける旨を案内するための案内情報を表示部７０に表示させ、操作部６０を構成するタッチパネルを介して使用者から閾値を受け付ける。このように構成された実施形態によれば、使用者から閾値を受け付けるので、閾値が予め設定される値である場合と比較して、例えば使用者の意向に沿って楽曲ごとに閾値を変更することができる。一例を挙げると、受信中の楽曲が、使用者が後で聞きたいと思った楽曲を保存するＨＤＤ５０に保存されていない場合には、使用者から小さい閾値を受け付けることによって、悪い音質で録音した楽曲であっても保存する可能性が大きくなる。一方、受信中の楽曲がＨＤＤ５０に保存されている場合には、使用者から大きい閾値を受け付けることによって、悪い音質で録音した楽曲を保存する可能性が小さくなり、良い音質で録音した楽曲を保存する可能性が大きくなるといった具合である。したがって、使用者から小さい閾値を受け付けることによって、受信中の楽曲を保存する旨の指示を受け付けたときに悪い音質で録音した楽曲であっても保存する可能性が大きくなるので、使用者に満足感を与えることができる。
【図面の簡単な説明】
【００７１】
【図１】（ａ）はデジタルラジオ放送を受信する録音装置１の全体構成を示すブロック図であり、（ｂ）はメモリ４０に設けられたメモリ領域を示す説明図であり、（ｃ）は放送関連データのメモリ領域４１０を示す説明図である。
【図２】（ａ）はＨＤＤ５０に設けられたメモリ領域を示す説明図であり、（ｂ）は楽曲関連データのメモリ領域５１０を示す説明図であり、（ｃ）は番組データのメモリ領域５３０を示す説明図である。
【図３】（ａ）は放送データのデータ構造を示す説明図であり、（ｂ）は電界強度の検出値を示す説明図である。
【図４】制御部３０が実行する楽曲保存処理の手順を示すフローチャート（１）である。
【図５】制御部３０が実行する楽曲保存処理の手順を示すフローチャート（２）である。
【図６】制御部３０が実行する楽曲保存処理の手順を示すフローチャート（３）である。
【符号の説明】
【００７２】
１…録音装置、１０…受信部、１０ａ…アンテナ、２０…音声出力部、３０…制御部、４０…メモリ、５０…ＨＤＤ、６０…操作部、７０…表示部、４１０…放送データのメモリ領域、５１０…楽曲関連データのメモリ領域、５２０…閾値データのメモリ領域、５３０…番組データのメモリ領域。
【図１】
0005136005.tif 000002
【図２】
0005136005.tif 000003
【図３】
0005136005.tif 000004
【図４】
0005136005.tif 000005
【図５】
0005136005.tif 000006
【図６】
0005136005.tif 000007